(57)【要約】【課題】避雷器の機械的強度を向上させるとともに生産性を向上させる。【解決手段】実施形態によれば、避雷器は、積層された非直線抵抗体１と、非直線抵抗体１の両端に配置され貫通する取合い孔１１を有する電極と、非直線抵抗体１の周囲に配置され取合い孔１１に差し込まれる複数の絶縁ロッド５と、取合い孔１１と絶縁ロッド５間の空隙に差し込まれる楔状スペーサ１２と、非直線抵抗体１および絶縁ロッド５の外周に配された樹脂製の外被９とを備える。取合い孔１１は、絶縁ロッド５の長手方向に穿たれて、互いに対向する面の少なくとも一組は非直線抵抗体側１が狭くなるような傾斜を有する。楔状スペーサ１２は、絶縁ロッド５を挟んで互いに対向し、それぞれが、一方の側面は絶縁ロッド５の外形に対応する凹面と、反対側の側面は取合い孔１１の傾斜に対応する傾斜を具備する２つの楔状スペーサ部材を有する。【選択図】図１
2014022632.tif 000002
【特許請求の範囲】
【請求項１】
１枚または複数枚が積層された非直線抵抗体と、
前記非直線抵抗体の両端に配置され、複数の貫通する取合い孔を有する２個の電極と、
前記電極どうしを連結し前記非直線抵抗体の周囲に周方向に互いに間隔をあけて配置され、前記取合い孔に差し込まれる複数の絶縁ロッドと、
前記２個の電極のうち少なくとも一方の電極の前記複数の取合い孔と当該取合い孔に差し込まれた前記絶縁ロッドとの間の空隙に絶縁ロッドの長手方向の外側から差し込まれる楔状スペーサと、
を備え、
前記取合い孔は、前記絶縁ロッドの長手方向に穿たれて、当該取合い孔を形成する互いに対向する面の少なくとも一組は前記非直線抵抗体側が狭くなるような傾斜を有し、
前記楔状スペーサそれぞれは、前記絶縁ロッドを挟んで互いに対向し、それぞれが、一方の側面は前記絶縁ロッドの外形に対応する凹面を具備し、反対側の側面は前記取合い孔の傾斜に対応する傾斜を具備する２つの楔状スペーサ部材を有する、
ことを特徴とする避雷器。
【請求項２】
前記２個の電極のうち少なくとも一方の電極の前記非直線抵抗体側に配置され、当該電極側から前記絶縁ロッドの長手方向に設けられたボルト用穴を有し、このボルト用穴に金属板側メネジが形成されている金属板と、
前記金属板側メネジと螺合する金属板側オネジと、この金属板側オネジと反対側に設けられて前記金属板側オネジと反対向きの電極側オネジとが形成された両ネジボルトと、
をさらに備え、
前記電極は、前記ボルト用穴に対向する位置に前記絶縁ロッドの長手方向のボルト用貫通孔を有し、このボルト用貫通孔の少なくとも一部に前記両ネジボルトの前記電極側オネジと螺合する電極側メネジを有する、
ことを特徴とする請求項１に記載の避雷器。
【請求項３】
前記楔状スペーサの内面は、摩擦係数を向上させるように表面加工されていることを特徴とする請求項１または請求項２に記載の避雷器。
【請求項４】
前記絶縁ロッドおよび前記楔状スペーサは、前記取合い孔より外部にはみ出ないことを特徴とする請求項１ないし請求項３のいずれか一項に記載の避雷器。
【請求項５】
前記取合い孔の前記絶縁ロッドの長手方向外側に前記取合い孔の外形を包絡する内径を有する円形の窪みが形成され、その窪みに窪みメネジが形成されていることを特徴とする請求項１ないし請求項４のいずれか一項に記載の避雷器。
【請求項６】
前記窪みメネジに対応したオネジが形成され、前記絶縁ロッドの頂部を収納可能な穴が形成され、回転駆動されることによって前記絶縁ロッドを押さずに前記楔状スペーサを押し込む押し込み部材をさらに有する請求項５に記載の避雷器。
【請求項７】
前記押し込み部材は、前記楔状スペーサを押し込み後に、その頂部が前記電極外面より内側にあることを特徴とする請求項６に記載の避雷器。
【請求項８】
避雷器の組立て方法であって、
積層した非直線抵抗体を、複数の貫通する取合い孔をそれぞれに有する両側の電極で挟み込む挟み込みステップと、
前記挟み込みステップの後に、前記電極の各取合い孔に絶縁ロッドをそれぞれ挿入する絶縁ロッド挿入ステップと、
前記挿入ステップの後に、前記各取合い孔と前記絶縁ロッド間のそれぞれに楔状スペーサを挿入し押し込むことにより前記絶縁ロッドを締め付ける締め付けステップと、
を有することを特徴とする避雷器の組立て方法。
【請求項９】
前記挟み込みステップの前に、少なくとも一方の前記電極の前記非直線抵抗体側に金属板を、これらと螺合する両ネジボルトで結合する金属板取付けステップと、
前記締め付けステップの後に、前記両ネジボルトを結合側と反対方向に回し、前記非直線抵抗体を締付けるとともに前記絶縁ロッドに引張力を付加する付加ステップと、
をさらに有することを特徴とする請求項８に記載の避雷器の組立て方法。
【請求項１０】
前記付加ステップの後に、前記非直線抵抗体および前記絶縁ロッドの外周に樹脂製の外被を設ける外被取付けステップを有することを特徴とする請求項９に記載の避雷器の組立て方法。
【発明の詳細な説明】
【技術分野】
【０００１】
本発明の実施形態は、避雷器およびその組立て方法に関する。
【背景技術】
【０００２】
発電、変電、送電、配電系統の電力機器や通信機器などを過渡的な異常な高電圧から保護する主要な手段として、避雷器が設けられる。避雷器としては、電圧の上昇に従って抵抗が減少する非直線的な電圧／電流特性を有する酸化亜鉛などの非直線抵抗体を使用することが行われている。また、避雷器は、碍子の外皮を有する碍子形避雷器およびシリコーンゴムなどで外皮を構成するポリマー形避雷器などがある。
【０００３】
ポリマー形避雷器としては、酸化亜鉛を主成分とする円盤状の非直線抵抗体を1枚または複数枚積層し、その上下両端に電極を配置したものが知られている。
【０００４】
剛性を上げるために、たとえば、非直線抵抗体の締付用の絶縁ロッドを複数本、非直線抵抗体素子周囲に配置し、樹脂でモールドすることにより構成している。
【０００５】
また絶縁ロッドの両端で締め付けることにより、非直線抵抗体に軸力を加えて非直線抵抗体の接触不良を防止している。碍子形避雷器と比較して機械的強度が低い外被材を使用しているポリマー形避雷器では、恒常的に絶縁ロッドを含む構造体の強度の向上が求められている。
【先行技術文献】
【特許文献】
【０００６】
【特許文献１】特開２００２−１５１３０９号公報
【発明の概要】
【発明が解決しようとする課題】
【０００７】
ポリマー形避雷器は外被がシリコーンゴムなどの樹脂で構成されるため、碍子形避雷器のように磁器容器の強度に依存する事ができず、積層された非直線抵抗体とその周囲に配置された絶縁ロッドで避雷器の強度を維持する必要がある。
【０００８】
これまで適用されてきたポリマー形避雷器において、絶縁ロッドは、両端に配置された電極に円錐状の穴と楔状の部品を用いて固定されるが、円錐状の穴に用いる楔状の部品は、円周状に肉厚の薄い部分を有することから生産上の加工プロセスが増えるなど大量生産には不向きであるという欠点があった。
【０００９】
さらに、円錐状の穴に円錐状の楔を挿入すると全面で接触せず部分的な位置での接触となり、また付加した荷重が楔の変形に用いられることもあり、付加した荷重が摩擦力に生かされず、絶縁ロッドと楔間の摩擦力が不足する場合があった。この為、避雷器の曲げ試験では避雷器の頭部変位が増大する懸念があった。
【００１０】
そこで、本発明の実施形態は、避雷器の機械的強度を向上させるとともに、生産性を向上させることを目的とする。
【課題を解決するための手段】
【００１１】
上述の目的を達成するため、本発明の実施形態は、１枚または複数枚が積層された非直線抵抗体と、前記非直線抵抗体の両端に配置され、複数の貫通する取合い孔を有する２個の電極と、前記電極どうしを連結し前記非直線抵抗体の周囲に周方向に互いに間隔をあけて配置され、前記取合い孔に差し込まれる複数の絶縁ロッドと、前記２個の電極のうち少なくとも一方の電極の前記複数の取合い孔と当該取合い孔に差し込まれた前記絶縁ロッドとの間の空隙に絶縁ロッドの長手方向の外側から差し込まれる楔状スペーサと、を備え、前記取合い孔は、前記絶縁ロッドの長手方向に穿たれて、当該取合い孔を形成する互いに対向する面の少なくとも一組は前記非直線抵抗体側が狭くなるような傾斜を有し、前記楔状スペーサそれぞれは、前記絶縁ロッドを挟んで互いに対向し、それぞれが、一方の側面は前記絶縁ロッドの外形に対応する凹面を具備し、反対側の側面は前記取合い孔の傾斜に対応する傾斜を具備する２つの楔状スペーサ部材を有する、ことを特徴とする。
【００１２】
また、本発明の実施形態は、避雷器の組立て方法であって、積層した非直線抵抗体を、複数の貫通する取合い孔をそれぞれに有する両側の電極で挟み込む挟み込みステップと、前記挟み込みステップの後に、前記電極の各取合い孔に絶縁ロッドをそれぞれ挿入する絶縁ロッド挿入ステップと、前記挿入ステップの後に、前記各取合い孔と前記絶縁ロッド間のそれぞれに楔状スペーサを挿入し押し込むことにより前記絶縁ロッドを締め付ける締め付けステップと、を有することを特徴とする。
【発明の効果】
【００１３】
本発明の実施形態によれば、避雷器の機械的強度を向上させるとともに、生産性を向上させることができる。
【図面の簡単な説明】
【００１４】
【図１】本発明の第１の実施形態に係るポリマー形避雷器の構成を示す立断面図である。
【図２】本発明の第１の実施形態に係るポリマー形避雷器の電極部分の構成を示す立断面図である。
【図３】本発明の第１の実施形態に係るポリマー形避雷器の電極部分における絶縁ロッドの固定部分の穴である取合い孔の形状を示す概念的鳥瞰図である。
【図４】本発明の第１の実施形態に係るポリマー形避雷器の電極部分における絶縁ロッドの固定部分に使用するスペーサの構成を示す平面図である。
【図５】本発明の第１の実施形態に係るポリマー形避雷器の電極部分における絶縁ロッドの固定部分に使用するスペーサの構成を示す立断面図である。
【図６】本発明の第１の実施形態に係るポリマー形避雷器の組立てステップを示すフロー図である。
【図７】本発明の第１の実施形態に関連したロッド単体引張試験結果を示す表である。
【図８】本発明の第２の実施形態に係るポリマー形避雷器の電極部分の構成を示す立断面図である。
【図９】本発明の第２の実施形態に係るポリマー形避雷器の取合い孔内の構成を示す平面図である。
【図１０】本発明の第２の実施形態に係るポリマー形避雷器の電極部分における押し込み治具によるスペーサの押し込みを示す立断面図である。
【図１１】本発明の第２の実施形態に係るポリマー形避雷器の電極部分における押し込み治具によるスペーサの押し込みを示す平面図である。
【図１２】本発明の第３の実施形態に係るポリマー形避雷器の電極部分の構成を示す立断面図である。
【図１３】本発明の第３の実施形態に係るポリマー形避雷器の電極部分におけるスペーサの押し込み後の押し込み部材部分の平面図である。
【発明を実施するための形態】
【００１５】
以下、図面を参照して本発明の実施形態に係る避雷器およびその組立て方法について説明する。ここで、同一または類似の部分には、共通の符号を付して、重複説明は省略する。
【００１６】
［第１の実施形態］
図１は、本発明の第１の実施形態に係るポリマー形避雷器の構成を示す立断面図である。また、図２は、本発明の第１の実施形態に係るポリマー形避雷器の電極部分の構成を示す立断面図である。
【００１７】
ポリマー形避雷器は、中央に複数枚の非直線抵抗体１が積層されている。非直線抵抗体１は、酸化亜鉛を主成分とする材料からなる円盤状の素子である。
【００１８】
非直線抵抗体１の両端には金属板２ａ、２ｂが設けられており、金属板２ａ，２ｂの外側には、さらに２つの電極３ａ、３ｂが設けられている。金属板２ａ、２ｂと電極３ａ、３ｂとはそれぞれ両ネジボルト４ａ、４ｂで螺合している。両ネジボルト４ａ、４ｂには、外側から回転できるように六角の穴が形成されている。両ネジボルト４ａ、４ｂは、組み立て工程における圧縮力を考慮して、たとえば、直径２０ｍｍ程度以上の太さとする。
【００１９】
電極３ａ、３ｂを貫通するボルト用貫通孔７、および金属板２ａ、２ｂにもボルト用穴８が設けられており、ボルト用貫通孔７には右ネジのメネジが形成され、ボルト用穴８には左ネジのメネジが形成されている。なお、メネジの向きは電極３ａ、３ｂの外側から両ネジボルト４ａ、４ｂを回す際に通常の方向で回せるようにするため右ネジ方向としているがこれに限定されず、反対の組合せでもよい。
【００２０】
電極３ａ、３ｂは、それぞれ複数の取合い孔１１を有する。この取合い孔１１は、両電極３ａ、３ｂの対応した位置に設けられており、それぞれの取合い孔１１に絶縁ロッド５が差し込まれている。絶縁ロッド５は直径が１０ｍｍ程度以上あるＦＲＰ製であり、複数の絶縁ロッド５が非直線抵抗体１の周囲の円周方向に等間隔に配置されている。
【００２１】
それぞれの取合い孔１１に差し込まれた絶縁ロッド５と当該取合い孔１１間の空隙には、楔状スペーサ１２が電極３ａ、３ｂの外側から挿入され絶縁ロッド５を固定している。
【００２２】
電極３ａ、３ｂに挟まれた非直線抵抗体１および金属板２ａ、２ｂは、全体が樹脂製の外被、すなわちシリコーン樹脂部９に覆われている。
【００２３】
図３は、本発明の第１の実施形態に係るポリマー形避雷器の電極部分における絶縁ロッドの固定部分の穴である取合い孔の形状を示す概念的鳥瞰図である。図４は、本発明の第１の実施形態に係るポリマー形避雷器の電極部分における絶縁ロッドの固定部分に使用するスペーサの構成を示す平面図であり、図５は、本発明の第１の実施形態に係るポリマー形避雷器の電極部分における絶縁ロッドの固定部分に使用するスペーサの構成を示す立断面図である。
【００２４】
取合い孔１１は、図２に示すように電極３ａに複数個所、貫通して設けられており、電極３ｂについても同様である。その形状は、図３に示すように、対向する１組の側面１１ａおよび側面１１ｂの間が、電極３ａの金属板２ａ側に行くほど狭くなるように傾斜している。また、他の対向する組の側面１１ｃ、側面１１ｄは、平行である。
【００２５】
この取合い孔１１に絶縁ロッド５が挿入された後に、絶縁ロッド５とそれが挿入されている取合い孔１１との間隙に差し込まれる楔状スペーサ１２は、図４および図５に示すように、２つの楔状スペーサ部材１２ａおよび１２ｂが一組になっており、これらが、絶縁ロッド５を挟んで相対している。
【００２６】
これらの外側の面のうち、互いに反対方向を向く側面１２ｐ、１２ｑが、取合い孔１１の対向する側面１１ａ、側面１１ｂと対応する傾きを有している。また、互いに相対して絶縁ロッド５に接する面は、絶縁ロッド５の外面に密着するような凹型の面を形成している。なお、楔状スペーサ部材１２ａ、１２ｂは最も薄い部分で２ｍｍ程度以上としている。楔状スペーサ１２の内面（凹型の面）は、摩擦係数を向上させるように表面加工されている。
【００２７】
取合い孔１１の対向する側面１１ａおよび側面１１ｂの組以外の対向する面の組は、楔状スペーサ１２を差込む際に側面１１ａおよび側面１１ｂの傾斜面以外に抵抗を生ずる面とはならないという条件が成立する必要がある。この条件が確保されていれば、側面１１ａおよび側面１１ｂの組以外の対向する側面が互いに平行でなくともよく、また、互いに対向する面でなくともよい。
【００２８】
なお、絶縁ロッド５が電極３ａ、３ｂと結合した状態では、楔状スペーサ１２と絶縁ロッド５は、作業性や他の機器等との取合いを考慮して、取合い孔１１から電極３ａ、３ｂの金属板２ａ、２ｂの反対側の面からの突起物とならないように、これらを適切な長さとする。
【００２９】
図６は、本発明の第１の実施形態に係るポリマー形避雷器の組立てステップを示すフロー図である。
【００３０】
まず、金属板２ａと絶縁ロッド５が貫通する取合い孔１１を有する電極３ａ、およびと金属板２ｂと絶縁ロッド５が貫通する取合い孔１１を有する電極３ｂのそれぞれの対応する箇所に、電極３ａ、３ｂにはボルト用貫通孔７を形成し、金属板２ａ、２ｂにはボルト用穴８を形成する。その後、ボルト用貫通孔７にメネジを形成し、ボルト用穴８にそれとは反対方向のメネジを形成する。この際、ボルト用貫通孔７のメネジが右ネジ方向であることが望ましい（Ｓ０１）。
【００３１】
ステップＳ０１の後に、電極３ａと金属板２ａのそれぞれを、これらに対応するオネジを有する両ネジボルト４ａと螺合させ、電極３ａ、金属板２ａおよび両ネジボルト４ａを一体のセットとして結合させる。電極３ｂ、金属板２ｂおよび両ネジボルト４ｂも同様に一体のセットとして結合させる（Ｓ０２）。
【００３２】
ステップＳ０２の後に、ステップＳ０２で一体化した両セットの間に、積層した非直線抵抗体１を挿入する。あるいは、積層した非直線抵抗体１を、一体化した両セット間に挟み込む（Ｓ０３）。この際、積層した非直線抵抗体１が互いに密着し、また、非直線抵抗体１と金属板２ａ、２ｂ間、金属板２ａと電極３ａ間、金属板２ｂと電極３ｂ間ができるだけ密着するように挟み込む。
【００３３】
ステップＳ０３の後に、両端の電極３ａ、３ｂの取合い孔１１に絶縁ロッド５を挿入する（Ｓ０４）。
【００３４】
ステップＳ０４の後に、電極３ａ、３ｂに形成されたそれぞれの取合い孔１１とそこを貫通する絶縁ロッド５との間隙部に楔状スペーサ１２の楔状スペーサ部材１２ａ、１２ｂを挿入する。また、挿入した後に、絶縁ロッド５と電極３ａ、３ｂの位置を固定したまま楔状スペーサ１２を油圧ジャッキなどの外部装置を用いて押し込むことにより、取合い孔１１において絶縁ロッド５、楔状スペーサ１２および電極３ａ、３ｂを摩擦力によって固定する（Ｓ０５）。
【００３５】
ステップＳ０５の後に、両ネジボルト４ａ、４ｂを、金属板２ａと電極３ａ間、金属板２ｂと電極３ｂ間が離れる方向に回して、電極３ａ、３ｂに挟まれた状態になる金属板２ａ、２ｂおよび非直線抵抗体１を締付ける（Ｓ０６）。
【００３６】
ステップＳ０６の後に、電極３ａ、３ｂに挟まれた非直線抵抗体１、金属板２ａ、２ｂおよび絶縁ロッド５の外周をポリマーでモールドする（Ｓ０７）。
【００３７】
以上のような構成、方法による本実施形態においては、電極３ａ、３ｂに形成されたそれぞれの取合い孔１１とそこを貫通する絶縁ロッド５との間隙部に楔状スペーサ１２の楔状スペーサ部材１２ａ、１２ｂを挿入（ステップＳ０５）する際に、取合い孔１１の対向した面と楔状スペーサ１２の対応した面の接触が、挿入深さが深くなっても維持されるため、楔状スペーサ１２が変形するような部分接触が生じにくい。
【００３８】
また、楔状スペーサ部材１２ａ、１２ｂの厚さを２ｍｍ程度以上としているため、押込み時に楔状スペーサ１２が変形することもない。
【００３９】
さらに、取合い孔１１の形状、楔状スペーサ１２がともに角形であるため、楔状スペーサ１２を押し込んだ時に楔状スペーサ１２は回転することがなく、ポリマー形避雷器の内部にねじれが発生しない。
【００４０】
このように、楔状スペーサ１２を挿入する力を、外側の対応する取合い孔１１の面と、内側の対応する絶縁ロッド５の面との接触力に有効に変換することができる。
【００４１】
図７は、本発明の第１の実施形態に関連したロッド単体引張試験結果を示す表である。取合い孔が円錐型の場合と、本実施形態と同様の形状である四角型の場合とを比較している。四角型については、３回の結果とその平均値を示している。試験は、取合い孔を模擬した試験治具と、絶縁ロッドの両端を、それぞれの穴に対応したスペーサで固定した供試器に対して試験治具を軸方向に引張り、引張り荷重を機械制御によって増加させたものである。
【００４２】
円錐型と四角型の両者で、ロッド径を同一とし、また孔の斜面の角度を合わせている。また、楔状スペーサに関しては、楔状スペーサを押し込む力を同一としている。
【００４３】
四角型の孔を使用した場合には、従来の円錐孔の場合よりも滑り始める荷重が平均で約１．４倍に向上した。これは、従来の円錐孔と丸型のスペーサによる固定方法では、円錐孔の直径が、スペーサの横幅と干渉するために、スペーサを押し込んでも一定以上の絶縁ロッドを締め付ける力を得ることが出来ないためである。一方、角孔と四角孔のスペーサによる固定方法では、角孔と、スペーサが接触する面が対向する２面だけであり、押し込んでも角孔とスペーサは干渉せず、十分に絶縁ロッドを締め付ける力を得る事が出来る。
【００４４】
なお、このため、電極に設けたロッド固定用の角孔は、対向する２面が傾斜していればよく、四角孔である必要もない。
【００４５】
以上の理由により、本実施形態は、従来の構造よりも絶縁ロッドとスペーサ間の締付力が上昇し、曲げ荷重を印加した際には、絶縁ロッドが固定位置から滑り始める荷重が向上するために、避雷器の機械的破壊が起こる曲げ荷重を向上させる。
【００４６】
また、非直線抵抗体１、金属板２ａ、２ｂ、電極３ａ、３ｂおよび絶縁ロッド５の全体を一体化させたステップＳ０５の後に、両ネジボルト４ａ、４ｂを回転させることにより、電極３ａ、３ｂに挟まれた状態になる金属板２ａ、２ｂおよび非直線抵抗体１が締付けられ相互の密着度が向上し、これらの間の接触不良を防止することができる。
【００４７】
なお、この結果、金属板２ａ、２ｂと電極３ａ、３ｂ間は互いに離れる方向であるが、両ネジボルト４ａ、４ｂによって導通は確保される。
【００４８】
また、両ネジボルト４ａ、４ｂの締め付けトルクを管理することで、非直線抵抗体１等の導通を確保するために必要な軸力を容易に得ることができるので、従来、軸力を得るために必要であった内部要素のバネを省略することができる。
【００４９】
また、金属板２ａ、２ｂと両ネジボルト４ａ、４ｂとの連結は、電極３ａ、３ｂと両ネジボルト４ａ、４ｂとの連結のネジの方向とは逆方向のネジであるため、両ネジボルト４ａ、４ｂ締結時は、非直線抵抗体１と金属板２ａ、２ｂとの摩擦によって金属板２ａ、２ｂの回転は抑制され、組立工程における内部要素のねじれが改善される。なお、両ネジボルト４ａ、４ｂは、たとえば、２０ｍｍ程度以上の太さであることから、このような状態において付加される圧縮荷重に対しても十分な強度を有する。
【００５０】
さらに、この締付けの反力は、絶縁ロッド５に引っ張り荷重を与える。絶縁ロッド５が引張状態となることは、楔状スペーサ１２と電極３ａ、３ｂの取合い孔１１のそれぞれに掛かる荷重が楔状スペーサ１２をさらに挿入方向にする方向に働き、絶縁ロッド５と電極３ａ、３ｂとの結合がさらに強化される。
【００５１】
これらの効果を生ずる要因の一つとしての本実施形態における構成を製作面でみると、単純な形状の取合い孔１１と、特に薄い部分もなく製作が容易な楔状スペーサ１２の楔状スペーサ部材１２ａ、１２ｂの組合せ、および両ネジボルト４ａ、４ｂと対応するメネジなどのように、構造上の複雑性がない。また、楔状スペーサ部材１２ａ、１２ｂの厚さは２ｍｍ程度以上であるため、鍛造による製造が可能となる。これらの点は、生産性の観点からも有利であり、生産性を向上させる効果を有する。
【００５２】
以上のように、本実施形態によれば、ポリマー形避雷器の機械的強度を向上させるとともに、生産性を向上させることができる。
【００５３】
［第２の実施形態］
図８は、本発明の第２の実施形態に係るポリマー形避雷器の電極部分の構成を示す立断面図である。また、図９は、本発明の第２の実施形態に係るポリマー形避雷器の取合い孔内の構成を示す平面図である。
【００５４】
本実施形態は、第１の実施形態の変形である。第１の実施形態においては、取合い孔１１が、電極３ａ、３ｂの金属板２ａ、２ｂと反対側の端面にまで形成されている。一方、本実施形態においては、電極３ａ、３ｂの金属板２ａ、２ｂと反対側の端面から、取合い孔１１の途中まで、取合い孔１１の外形を包絡する内径を有する。
【００５５】
すなわち、取合い孔１１が内径におさまる径を有する円形窪み部２１を有している。円形窪み部２１には、メネジが形成されている。楔状スペーサ１２は、２つの楔状スペーサ部材１２ａ、１２ｂに分割されており、これらは、絶縁ロッド５を挟んで互いに向かい合っている。
【００５６】
図１０は、本発明の第２の実施形態に係るポリマー形避雷器の電極部分における押し込み治具によるスペーサの押し込みを示す立断面図である。また、図１１は、本発明の第２の実施形態に係るポリマー形避雷器の電極部分における押し込み治具によるスペーサの押し込みを示す平面図である。
【００５７】
楔状スペーサ１２の押込みには、円形窪み部２１のメネジに対応するオネジが形成された押し込み治具２３が使用される。押し込み治具２３の外側の端面には、押し込み治具２３を回転できるようにたとえば六角の穴が形成されている。また、内側に挿入される方の端面は、楔状スペーサ１２のみに接触し、中央の絶縁ロッド５を押し込まないように、絶縁ロッド５にあたる可能性のある中央の部分に凹型の穴が形成されている。
【００５８】
このような押し込み治具２３を使用して、適切にトルク管理することにより、油圧ジャッキ等の外部装置を使用しなくとも、確実に楔状スペーサ１２を押し込むことができ作業効率が向上する。
【００５９】
以上のように、本実施形態によれば、ポリマー形避雷器の機械的強度を向上させるとともに、生産性を向上させることができる。
【００６０】
［第３の実施形態］
図１２は、本発明の第３の実施形態に係るポリマー形避雷器の電極部分の構成を示す立断面図である。また、図１３は、本発明の第３の実施形態に係るポリマー形避雷器の電極部分におけるスペーサの押し込み後の押し込み部材部分の平面図である。
【００６１】
本実施形態は、第２の実施形態の変形である。第２の実施形態においては、電極３ａ、３ｂの取合い孔１１に円形窪み部２１を設けて、楔状スペーサ１２を押し込むために、この円形窪み部２１に合う押し込み治具２３を使用する。一方、本実施形態においては、円形窪み部２１に合う押し込み部材２２を、構成要素の一部とするものである。
【００６２】
押し込み部材２２には、円形窪み部２１のメネジに対応するオネジが形成されている。押し込み部材２２の外側の端面には、押し込み部材２２を回転できるようにたとえば六角の穴が形成されている。また、内側に挿入される方の端面は、楔状スペーサ１２のみに接触し、中央の絶縁ロッド５を押し込まないように、絶縁ロッド５にあたる可能性のある中央の部分に凹型の穴が形成されている。
【００６３】
楔状スペーサ１２を押し込んだ状態では、押し込み部材２２の上端は、電極３ａ、３ｂの金属板２ａ、２ｂと反対側の端面より外側には、突出せず、電極の端面と同一面ないしは軸方向内側にあるように、押し込み部材２２の軸方向の長さが設定されている。
【００６４】
押し込み部材２２の挿入による楔状スペーサ１２の押込みは、第１の実施形態のステップＳ０５の楔状スペーサ１２の押し込みを行うステップにおいて行う。
【００６５】
以上のような構成、方法による本実施形態においては、楔状スペーサ１２の挿入、押込みを確実かつ容易に実施することができる。また、供用期間中においても、押し込み部材２２が楔状スペーサ１２の挿入位置を保持していることから、楔状スペーサ１２の緩みによる電極３ａ、３ｂと絶縁ロッド５との結合の低下ひいては避雷器全体の強度の低下という問題を、回避することができる。
【００６６】
以上のように、本実施形態によれば、ポリマー形避雷器の機械的強度を向上させるとともに、生産性を向上させることができる。
【００６７】
［その他の実施形態］
以上、本発明のいくつかの実施形態を説明したが、これらの実施形態は、例として提示したものであり、発明の範囲を限定することは意図していない。各実施形態では、特に機械的強度の向上が望まれるポリマー形避雷器の場合を例にして示したが、ポリマー形避雷器に限定されず、同様の内部要素を有しており、磁器碍子や金属タンクなどで覆った他の形式の避雷器にも適用できる。
【００６８】
また、各実施形態では、楔状スペーサによる電極と絶縁ロッドとの結合を、両電極に取合い孔を設けて行う例を示しているが、必ずしも両方の電極について行う必要はなく、たとえば、一方の電極については、絶縁ロッドが取合い孔から抜けないように太くして、他方については各実施例の内容を適用することでもよい。
【００６９】
また、電極と金属板とに両ネジボルトを螺合させることは、一方の側の電極について行うことでもよい。
【００７０】
また、各実施形態の特徴を組み合わせてもよい。
【００７１】
さらに、これらの実施形態は、その他の様々な形態で実施されることが可能であり、発明の要旨を逸脱しない範囲で種々の省略、置き換え、変更を行うことができる。
【００７２】
これら実施形態やその変形は、発明の範囲や要旨に含まれると同様に、特許請求の範囲に記載された発明とその均等の範囲に含まれるものである。
【符号の説明】
【００７３】
１・・・非直線抵抗体
２ａ、２ｂ・・・金属板
３ａ、３ｂ・・・電極
４ａ、４ｂ・・・両ネジボルト
５・・・絶縁ロッド
７・・・ボルト用貫通孔
８・・・ボルト用穴
９・・・シリコーン樹脂部（外被）
１１・・・取合い孔
１１ａ、１１ｂ、１１ｃ、１１ｄ・・・側面
１２・・・楔状スペーサ
１２ａ、１２ｂ・・・楔状スペーサ部材
１２ｐ、１２ｑ・・・・側面
２１・・・円形窪み部
２２・・・押し込み部材
２３・・・押し込み治具
【図１】
2014022632.tif 000003
【図２】
2014022632.tif 000004
【図３】
2014022632.tif 000005
【図４】
2014022632.tif 000006
【図５】
2014022632.tif 000007
【図６】
2014022632.tif 000008
【図７】
2014022632.tif 000009
【図８】
2014022632.tif 000010
【図９】
2014022632.tif 000011
【図１０】
2014022632.tif 000012
【図１１】
2014022632.tif 000013
【図１２】
2014022632.tif 000014
【図１３】
2014022632.tif 000015